(57)【要約】      （修正有）【課題】ゴミが出ずに長期間使用できる猫用の爪研ぎ具を提供する。【解決手段】平滑上面を有する任意形状と任意厚さを有する形状保持体を設け、該形状保持体上面に、形状保持体と平面視同一形状の高強度ネット２を固着して設けたことを特徴とする。【選択図】図１
0003217538.tif 000002
【実用新案登録請求の範囲】
【請求項１】
平滑上面を有する任意形状と任意厚さを有する形状保持体を設け、該形状保持体上面に、形状保持体と平面視同一形状の高強度ネットを固着して設けたことを特徴とする猫の爪研ぎ用具。
【請求項２】
形状保持体の底面に、該形状保持体と同一形状の底面被覆材を設けてなる請求項１記載の猫の爪研ぎ用具。
【請求項３】
形状保持体の外周に、外周保護材を設けてなる請求項１または２記載の猫の爪研ぎ用具。
【請求項４】
高強度ネットをメッシュ５から６の範囲とした請求項１から３のいずれかの項に記載の猫の爪研ぎ用具。
【請求項５】
高強度ネットを、上位置ネットと下位置ネットにて上下に２枚重ねたものとし、かつ上位置ネットに対し下位置ネットを平面視において４５度ずらして位置させてなる請求項１から４のいずれかの項に記載の猫の爪研ぎ用具。
【考案の詳細な説明】
【技術分野】
【０００１】  この考案は、飼い猫の爪研ぎのための新規な用具に関する。
【背景技術】
【０００２】  従来より、種々の猫用爪研ぎ具が市販されているが、本案にて示すように高強度ネットを用いたものは見当たらない。
【考案の概要】
【考案が解決しようとする課題】
【０００３】  猫にとって爪を研ぐという行動は、生後５週間頃から見られる本能的生理的な行動である。この爪研ぎの理由としての例を示すと、以下のようなものがある。
１．古くなった爪の外層を除去する。
２．爪で対象物に傷をつけ、肉球に存在する臭線から発する自分の臭いをこすりつけて縄  張りを主張する。
３．爪で対象を傷つけてマーキングをする。
４．背伸びを兼ねてストレッチをしている。
５．ストレスを感じたときの転位行動で、飼い主にかまってもらえない猫が腹立ちまぎれ  でガリガリと壁をひっかくなどで、飼い主の関心を求めている。
以上、様々な理由があるが、とりわけ古くなった爪の最外層をはがして常に新しい爪をむき出しすることが最大の理由と考えられている。また、猫が主として用いるのは前足の爪研ぎである。
家屋内で猫を飼っていると爪研ぎで部屋中がボロボロになり、また騒音も発生するため、現在では種々の爪研ぎ具が市販されている。なかでも段ボール製やロープを使ったものが多く、猫の爪研ぎにてはがれたこれらの材料がゴミとなり、また数ヶ月で爪研ぎに適さなくなるという問題がある。
本案は以上に鑑み、耐久性に富むとともに使用時にゴミの出ない新規かつ有用なる手段を提供することを目的として発案し開発したものである。
【課題を解決するための手段】
【０００４】  課題を解決する手段として本案は以下の構成とした。
すなわち、平滑上面を有する任意形状と任意厚さを有する形状保持体を設け、該形状保持体上面に、形状保持体と平面視同一形状の高強度ネットを固着して設ける。
本案は以上の構成よりなる猫の爪研ぎ用具である。なお、必要に応じて後述のように底面被覆材の使用、外周保護材の使用、高強度ネットの積層使用などを用いることにて、さらなる強度の増加と外観性を向上させることができる。
【考案の効果】
【０００５】  本案は下記の効果を有する。
１．高強度ネットを用いているので、耐久性に富み、長期間の使用が可能であるとともに  、従来品にありがちであったゴミの発生を防ぐことができる。
２．形状保持体を断熱素材にて形成することにて、本品載置時の床面温度の影響を極小と  することができる。
３．構造がシンプルなので安価軽量に製作することができ、その運搬や収納にも便利であ  る。
４．高強度ネットを二重とすることで、耐強度を増すことができる。
【図面の簡単な説明】
【０００６】
【図１】本考案の平面図
【図２】本考案の底面図
【図３】本考案の正面図
【図４】本考案の要部構造説明図
【図５】本考案の要部構造説明図
【図６】本考案の平面図（二重ネット）
【図７】本考案の要部構造説明図（平面視）
【図８】本考案の変化例における要部構造説明図（一部省略表現）
【図９】本考案の変化例における要部構造説明図
【図１０】本考案の変化例における要部構造説明図
【図１１】使用例図
【考案を実施するための最良の形態】
【０００７】  以下、本考案の実施形態について説明する。図において、１は形状保持体で、平面視円形適宜厚の発泡合成樹脂にて形成される。２は前記形状保持体上面に位置する高強度ネットで、高密度ポリエチレンによる一体形成タイプである。このネットは方形格子状にてその格子巾は約４．５ミリメートル（メッシュ５ないし６）であり、線径は約０．７ミリメートルである。３は底面被覆材で、厚さ１．５ミリメートルほどの柔軟性を有する合成樹脂シート体である。
以上の形状保持体と高強度ネットは相互固着され、また形状保持体と底面被覆材も相互固着される。以上の３種の材料は同一直径にて積層形成される。４は外周保護材で、断面略円形の発泡合成樹脂素材にて形成されるが、図４にて示すように、その内周に切除部を有して、この切除部に上記積層形成物が挿入固着される。
以上が本案の一実施形態である。【０００８】  次に本案の使用について説明する。本案の使用に際しては、高強度ネットを上向きとして室内床面上に本品を置く。猫はこのネット上に乗り、ネットに爪を当てて爪研ぎをするが、このネットは高強度・高耐久性を有しているので、このネットの損傷はほとんどない。
従って、長期間の使用が可能であり、ゴミが出ることもない。また、定期的に本品上面を電気掃除機等で吸引清掃することにて清潔を保つことができる。本案品は薄形部材にて形成されており、不使用時には所定位置に立てて収納保管することができる。【０００９】  図４は本案の要部構造を示すもので、高強度ネットは一枚使用である。図５は高強度ネットは上下積層にて二枚使用しており、その他は図４と同様である。
図６と図７は、高強度ネット二枚使用時の例であって、図７の拡大平面視にてネットの積層状態を示している。図からわかるように上位置のネットと下位置のネットは平面視において４５度ずれている。そのため、一枚使用時に比べてより密なメッシュ状態となり、より耐久性のある状態となる。図８は、外周保護材として、長繊維集合布体１０、いわゆるフェイクファーを用いた例で、装飾性を高めた例である。
図９はネット一枚使用であるが、外周保護材として合成樹脂シートによる外周被覆材１１を用いた例であり、機能上は既例同様である。図１０はネット二枚使用として、高強度ネットと形状保持体および底面被覆材のみの簡易な例である。また、図示を略したが高強度ネットと形状保持体のみにて構成してもよい。形状保持体と高強度ネットおよび形状保持体と底面被覆材との固着は、外周保護材内部分だけでもよい。【００１０】  以上、本案について記したが、本案は高強度ネットを用いたところにその特徴がある。
従来は既述のように、段ボールやロープを用いたものが多く、猫が爪でひっかくとこれらの素材が削れてゴミとなり、その都度の清掃が必要で、また耐用期間もせいぜい数ヶ月のものであった。しかるに本案では上記のように高強度ネットを用いたために、このネットは爪で削られないのでゴミが出ず、１年以上の耐用期間が得られるものとなったのである。この高強度ネットは、本案例では高密度ポリエチレンを用いたが、他にナイロン、ポリエステル、テトロンなどを用いてもよい。【００１１】  また形状保持体として、発泡合成樹脂を用いたが、他の素材を用いることができる。
底面被覆材としては、本案で用いた合成樹脂シート以外に、レザーその他を用いてもよい。本案は床置きタイプとして形成したが、壁面取り付けタイプとして形成してもよく、この場合は底面被覆材に粘着機構を持たせるなどの処置が望ましい。
既例においては、平面視円形としたが、これに限らず長方形や楕円形など任意の形状を用いることができ、またそのサイズも自由である。なお、既述の例は実施の一例であって近似の他の構成としてもよい。
以上のごとく、本案によって長期間の使用に耐え、かつゴミの出ない有用なる猫の爪研ぎ用具を得ることができる。
【符号の説明】
【００１２】  １  形状保持体
２  高強度ネット
３  底面被覆材
４  外周保護材
１０  長繊維集合布体
１１  外周被覆材
【図１】
0003217538.tif 000003
【図２】
0003217538.tif 000004
【図３】
0003217538.tif 000005
【図４】
0003217538.tif 000006
【図５】
0003217538.tif 000007
【図６】
0003217538.tif 000008
【図７】
0003217538.tif 000009
【図８】
0003217538.tif 000010
【図９】
0003217538.tif 000011
【図１０】
0003217538.tif 000012
【図１１】
0003217538.tif 000013